(57)【要約】      （修正有）【課題】固体試料からの濾液の調製のために使用されるフィルタバッグを提供する。【解決手段】底部６と、開口部５と、フィルタバッグの内部容積を区切り、フィルタバッグの底部と開口部との間に延びる壁と、底部から開口部に向かって延び、内部容積を２つの区画、すなわち、試料を受容するように構成された試料受容区画１１と、濾液を受容するように構成された濾液収集区画１２に分離するフィルタ２とを備え、フィルタバッグ１は，壁を通過して濾液収集室に収容されたオリフィス１３と、オリフィスによってフィルタバッグの外側から濾液との接触が遮断される閉鎖状態と、フィルタバッグの外側からオリフィスを通って濾液との接触が許容される開放状態の２つの状態を可能にする閉鎖システム１４とをさらに備える。【選択図】図１
2019023624.tif 000002
【特許請求の範囲】
【請求項１】
フィルタバッグ（１）であって，
−  底部（６）と，
−  開口部（５）と，
−  前記フィルタバッグの内部容積を区切り，前記フィルタバッグの前記底部と前記開口部との間に延びる壁（４）と，
−  前記底部から前記開口部に向かって延び，内部容積を２つの区画に分離するフィルタ（２）を備え，
前記２つの区画は，
試料を受容するように構成された試料受容区画（１１）と，
濾液を受容するように構成された濾液収集区画（１２）
であり，
前記フィルタバッグは２つの状態：
−  前記壁を通過して濾液収集室に収容されたオリフィス（１３）と，
−  ・前記オリフィスによって前記フィルタバッグの外側から前記濾液との接触が遮断される閉鎖状態と，
・前記フィルタバッグの外側から前記オリフィスを通って前記濾液との接触が許容される開放状態とを可能にする閉鎖システム（１４）
をさらに備えることを特徴とするフィルタバッグ。
【請求項２】
前記閉鎖システム（１４）はタブを備え，前記タブは，
−  ・閉鎖システムが閉鎖状態にあるとき，前記オリフィスを密封するために，
・閉鎖システムが開放状態にあるとき，前記オリフィスの障害を無くすために
配置される可動部（１５）と：
−  壁（４）に固定された固定部（１６）と
を備えることを特徴とする請求項１記載のフィルタバッグ（１）。
【請求項３】
前記閉鎖システム（１４）が開放状態にあるとき，前記閉鎖システムタブの可動部が，
−  前記オリフィスから離れ，かつ
−  前記オリフィスへのアクセスを開放状態に維持するように遠隔位置を維持するよう構成されている請求項２記載のフィルタバッグ（１）。
【請求項４】
前記閉鎖システム（１４）の前記タブの可動部（１５）は，前記オリフィス（１３）が収容されている前記壁（４）の１つ以上の可逆固定領域に可逆的に固定されるように構成された１つ以上の可逆固定領域を含み，前記オリフィスが収容された前記壁のそのような前記可逆固定領域は，前記オリフィスの周囲にある請求項２又は３記載のフィルタバッグ（１）。
【請求項５】
前記閉鎖システム（１４）が閉鎖状態にあるとき，前記閉鎖システム（１４）の前記可動部（１５）の前記１つ以上の前記可逆固定領域は，可逆的な態様で，前記オリフィス（１３）が収容されている前記壁の前記１つ以上の前記可逆固定領域に可逆的に固定される請求項１記載のフィルタバッグ（１）。
【請求項６】
前記閉鎖システム（１４）が開放状態にあるとき，前記閉鎖システムの前記可動部（１５）の１つ以上の可逆固定領域は，前記１つ以上の可逆固定領域又は前記オリフィス（１３）が収容されている前記壁（４）に固定されていない請求項４又は５記載のフィルタバッグ（１）。
【請求項７】
前記閉鎖システム（１４）の前記タブの前記固定部（１６）は，前記オリフィス（１３）が収容されている前記壁（４）の１つ以上の不可逆固定領域に不可逆的に固定された１つ以上の不可逆固定領域を含む請求項２〜６いずれか１項記載のフィルタバッグ（１）
【請求項８】
前記オリフィス（１３）を収容する前記壁（４）の前記１つ以上の不可逆固定領域が，前記オリフィス（１３）と前記フィルタバッグ（１）の底部（６）との間に位置する請求項７記載のフィルタバッグ（１）。
【請求項９】
前記閉鎖システム（１４）の前記タブが，主に前記フィルタバッグ（１）の前記開口部（５）を前記フィルタバッグ（１）の前記底部（６）に接続する方向に延びる，請求項２〜８いずれか１項記載のフィルタバッグ（１）。
【請求項１０】
前記閉鎖システム（１４）の前記タブの前記可動部（１５）と固定部（１６）との間の分離境界（２０，２２）が湾曲している，請求項２〜９いずれか１項記載のフィルタバッグ。
【請求項１１】
閉鎖システム（１４）の前記タブの可動部（１５）と固定部（１６）との間の分離境界（２０，２２）は，前記閉鎖システム（１４）の前記タブの可動部（１５）の側方に主に延びる凸部を含み，前記凸部は，前記閉鎖システムの前記タブの固定部（１６）から前記閉鎖システム（１４）の前記タブの前記可動部への凸形状のパターンで形成される請求項１０記載のフィルタバッグ（１）。
【請求項１２】
前記閉鎖システムタブ（１４）の１つ以上の前記可逆的締結領域が接着性のものである，請求項５〜１１のいずれか１項に記載のフィルタバッグ（１）。
【請求項１３】
前記開口（５）側で前記バッグ（１）の一部に可逆的に固定され，前記フィルタバッグの前記底部に向かって折り畳まれるように配置される，「ネック部」と称する締結システム（１７）を含み，  
前記締結システムは，２つの状態；
−  開口部によるバッグの外側からの内部容積への接触が遮断される閉鎖状態，
−  開口部によってバッグの外側から内部容積への接触が許容される開放状態
を可能にする請求項１〜１２いずれか１項記載のフィルタバッグ（１）。
【請求項１４】
前記締結システム（１７）はタブを含み，前記タブは，
−  前記壁（４）の不可逆固定領域の１つ以上に不可逆的な手段で固定された固定部（１９）と，
−  可動部（１８）とを有し，前記可動部（１８）は：
・前記締結システムが開放状態にあるとき，
・前記締結システムの前記タブの固定部が固定されている前記壁の不可逆固定領域に隣接する１つ以上の可逆固定領域に可逆的に固定される；又は
・前記締結システムの前記タブの前記固定部に向かって折り畳まれ，
・前記締結システムが閉鎖状態にあるとき，前記締結システムは，「ネック部」（２６）の壁（３）の可逆締結領域の１つ以上に可逆的に固定される
ように配置される請求項１３記載のフィルタバッグ（１）。
【請求項１５】
前記オリフィス（１３）は，
・前記バッグが受容するように構成された最大液体レベル（２９）と，
・前記締結システム（１７）の前記タブの不可逆的締結領域，又は前記バッグの前記底部に最も近くに位置する前記締結システムの前記タブの前記不可逆固定領域の１つとの間に位置し，
−  前記締結システムの前記タブの前記可逆的締結領域は，
・前記バッグ内の前記オリフィス，と
・前記バッグの開口部（５）との間に位置する
請求項１４記載のフィルタバッグ（１）。
【発明の詳細な説明】
【発明の詳細な説明】
【０００１】
本発明は，分析のためのサンプリング及び試料調製の分野に関し，より詳細には，固体試料からの濾液の調製及び回収に関する。固体試料は，繊維状，非均一，不溶性であり得る。濾液は粘性又はペースト状であり得て，かつ，濾液の分析は特に微生物学的である。
【０００２】
本発明は，固体試料からの濾液の調製のために使用され得るフィルタバッグに関する。
【０００３】
フィルタバッグは，特に，分析される試料が固体であり，溶解性が低く，かつ／又は操作が困難であり，かつ／又は病原性がある可能性がある場合，及び／又は汚染されてはならない「現場試料」である場合に使用される。
【０００４】
一般に，微生物学的分析プロセスでは，試料を液体形態で分析する必要がある。大部分のフィルタバッグは，フィルタによって分離された２つの区画を有し，一方の区画は固体試料を受容するように意図され，他方は濾液を受容するように意図されている。液体，例えば生理学的又は培養培地がバッグ内に置かれる。その区画では，試料は液体と接触している。使用される液体の量は，しばしば低く，バッグの底部でわずかな体積しか表さない。内容物を撹拌して，断片の懸濁及び／又は液体中の固体試料の可溶化を促進することができる。次いで，濾液の全部又は一部を分析のために採取する。
【０００５】
オペレータによるフィルタバッグ内の濾液のサンプリング段階は，しばしば，ヒュームフード又は微生物学的安全ステーションなどの安全な場所で実施されるため，複雑である。さらに，オペレータが片手でバッグを保持し，他方では濾液除去装置を保持するので，このサンプリング工程は細心の注意を要する。いくつかの場合，この段階は，濾液が病原性物質を潜在的に含むなど，さらに重要である。
【０００６】
サンプリング装置を備えていないフィルタバッグの従来技術は周知である。これらの標準的なサンプリング装置では，濾液のサンプリングは実現不可能である。実際には，サンプリング装置との接触によって濾液が汚染される危険性無しに，標準的なサンプリング装置を介して濾液に接触することはできず，逆も同様である。サンプリングシステムを備えたフィルタバッグも既に存在するが，サンプリング前又はサンプリングと同時にサンプリングシステムを複雑に操作する必要がある。
【０００７】
本発明の目的の１つは，前述の欠点を少なくとも部分的に克服するためのフィルタバッグを提供することである。
【０００８】
本発明の別の目的は，バッグの取り扱い中又は貯蔵中に濾液の漏出又は脱濡を防止するための安全機能を備えたフィルタバッグを提供することである。
【０００９】
本発明の別の目的は，特にバッグが少量の濾液しか含まない場合に，濾液を簡単かつ直接的に集めることを可能にするフィルタバッグを提供することである。
【００１０】
さらなる目的は，各試料間でフィルタバッグを気密に密閉しながら，ろ過部分のいくつかの連続した試料を採取することを可能にするフィルタバッグを提供することである。
【００１１】
上記で概説した目的のために，そして本発明の第１の態様によれば，以下の特徴を有するフィルタバッグは：
−  底部と，
−  開口部と，
−  バッグの内部容積を区切り，バッグの底部と開口部との間に延びる壁と，
−  底部から開口部に向かって延び，内部容積を２つの区画に分離するフィルタと
を備え，
前記２つの区画は，
試料を受容するように構成された試料受容区画と，
濾液を受容するように配置された濾液収集区画から成る。
【００１２】
本発明によれば，フィルタバッグはまた，
前記壁を通過して前記濾液収集室に収容されたオリフィスと，
−  ２つの状態：
・オリフィスによってバッグの外側から濾液に接触することが遮断される閉鎖状態と，
・バッグの外側からオリフィスを通って濾液への接触が許容される開放状態
とを可能にする閉鎖システムとを備える。
【００１３】
フィルタはストリップの形態であってもよい。
【００１４】
フィルタは，濾過膜タイプであってもよい。
【００１５】
フィルタは，開口部を介して収容区画内に試料を導入することができるように構成されている。
【００１６】
試料収容区画の容積は，採取区画内の濾液の容積より大きくてもよい。
【００１７】
オリフィスのサイズは，２〜４０mmの間で変化することができるが，理想的には８〜２０mmである。
【００１８】
閉鎖システムは，閉鎖状態から開放状態に，又はその逆になるように構成される。
【００１９】
閉鎖システムは，タブを備えてもよく，前記タブは，
−  ・閉鎖システムが閉鎖状態にあるとき，オリフィスを密封するために，
・閉鎖システムが開放状態にあるとき，オリフィスの障害を無くすために，配置される可動部と：
−  壁に固定された固定部とから成る。
【００２０】
閉鎖システムが閉鎖状態にあるとき，閉鎖システムのタブの可動部は，オリフィス用の気密シールを提供することができる。
【００２１】
閉鎖システムのタブの可動部は，バッグに対して可動であってもよい。
【００２２】
閉鎖システムが閉鎖状態にあるとき，閉鎖システムのタブの可動部は，オリフィスを覆うことができる。
【００２３】
固定部の表面は，可動部の表面よりも小さくてもよい。
【００２４】
閉鎖システムが開放状態にあるとき，閉鎖システムタブの可動部は，
−  オリフィスから離れ，かつ
−  オリフィスへのアクセスを開放状態に維持するように遠隔位置を維持する。
【００２５】
閉鎖システムタブの可動部は，オリフィスが収容されている壁の１つ以上の可逆固定領域に可逆的に固定されるように構成された１つ以上の可逆固定領域を含むことができ，前記オリフィスが収容された前記壁の１つ以上の可逆固定領域は，オリフィスの周囲に配置される。
【００２６】
オリフィスが収容され得る壁の１つ以上の可逆固定領域は，閉鎖システムのタブの可動部の１つ以上の可逆固定領域と相補的であり得る。
【００２７】
オリフィスの周囲に位置する壁の部分は，可逆固定領域を欠いていてもよい。
【００２８】
閉鎖システムが閉鎖状態にあるとき，閉鎖システムタブの可動部の１つ以上の可逆固定領域は，可逆的な態様で，オリフィスが収容されている壁の可逆固定領域に固定されてもよい。
【００２９】
閉鎖システムがその開放状態にあるとき，閉鎖システムタブの可動部の１つ以上の可逆固定領域は，オリフィスが収容されている壁の１つ以上の可逆固定領域に固定されていなくてもよい。
【００３０】
「固定されていない」という用語は，分離されているか，又は非閉塞性であるか，又は隔離されていると解釈され得る。
【００３１】
閉鎖システムタブの固定部は，オリフィスが収容されている壁の１つ以上の不可逆固定領域に不可逆的に固定された１つ以上の不可逆固定領域を含むことができる。
【００３２】
オリフィスが収容され得る壁の１つ以上の不可逆固定領域は，閉鎖システムのタブの可動部の１つ以上の非可逆固定領域と相補的であり得る。
【００３３】
オリフィスの周辺に位置する壁の一部は，不可逆固定領域を含むことができる。  
【００３４】
オリフィスが収容され得る壁の不可逆固定領域は，オリフィスとフィルタバッグの底部との間に位置し得る。
【００３５】
閉鎖システムタブは，主に，バッグの開口部をバッグの底部に接続する方向に延びることができる。
【００３６】
閉鎖システムのタブは，主に長方形であってもよい。
【００３７】
閉鎖システムのタブは，主に長方形の形状を有してもよく，主に，バッグの開口部をバッグの底部に接続する方向に延びることができる。
【００３８】
本発明によれば，閉鎖システムタブの可動部と固定部との間の分離境界が湾曲していてもよい。
【００３９】
「分離境界」という用語は，界面又は分離領域又は界面として解釈してよい。
【００４０】
用語「湾曲した」は，非直線的であると解釈することができる。
【００４１】
分離境界は不連続であってもよい。
【００４２】
閉鎖システムタブの可動部と固定部との間の分離境界は，閉鎖システムのタブの可動部の側方に主に延びる凸部を含むことができ，上記凸部は，閉鎖システムタブの固定部から閉鎖システムタブの可動部への凸形状のパターンで形成され得る。
【００４３】
閉鎖システムタブの可動部と固定部との間の分離境界は，主に直線部分によって分離された凸部を含むことができる。
【００４４】
閉鎖システムタブの可動部と固定部との間の分離境界が直線部分を含む場合，可動部と固定部との間の分離境界を支配的に拡大する方向の凸部の長さは，閉鎖システムタブの可動部と固定部との間の分離境界を主に伸びる上記方向の直線部分の長さより大きくてもよい。
【００４５】
閉鎖システムタブの可動部と固定部との間の分離境界の凸部は，ほぼ円形の形状を有することができる。
【００４６】
閉鎖システムタブの１つ又は複数の可逆固定領域は，粘着性のものであってもよい。
【００４７】
オリフィスが収容されている壁の１つ又は複数の可逆固定領域が閉鎖システムタブの可動部の１つ又は複数の反転可能な固定領域と相補的である場合，例えば，ジップクロージャー(closure)として一般に知られている係止可能なラッククロージャー，又はベルクロタイプのクロージャーであってもよい。
【００４８】
本発明によれば，バッグは，開口側でバッグの一部に可逆的に固定され，バッグの底部に向かって折り畳まれるように配置される締結システムを含むことができ，「ネック部」と呼ばれ，
前記締結システムは，
−  開口部によるバッグの外側からの内部容積への接触が遮断される閉鎖状態と，
−  開口部によってバッグの外側から内部容積への接触が許容される開放状態の
２つの状態を可能にする。
【００４９】
締結システムが固定されているバッグの部分は，好ましくは，オリフィスが収容されている壁の側に配置されていてもよい。
【００５０】
締結システムは，タブを含むことができ，前記タブは，
−  壁の不可逆固定領域の１つ以上に不可逆的な手段で固定された固定部と，
−  可動部とを有し，前記可動部は，
・締結システムが開放状態にあるとき，
・締結システムタブの固定部が固定されている前記壁の不可逆的締結領域に隣接する１つ以上の可逆的締結領域に可逆的に固定する，又は
・締結システムタブの固定部の方向に折り畳まれ，
・締結システムが閉鎖状態にあるとき，折り畳まれた部分の壁の１つ以上の可逆締結領域に可逆的に締結する。
【００５１】
固定部が固定される１つ以上の不可逆締結領域を含む壁は，好ましくは，オリフィスと同じ側に配置されてもよい。
【００５２】
締結システムがその開放状態にあるとき，締結システムタブの可動部は，
−  締結システムタブの固定部に向かって折り畳まれ，
−  折り畳まれた位置に留まる
ように配置されてもよい。
【００５３】
締結システムタブの可動部は，可逆的に固定されるように構成された１つ又は複数の可逆的締結領域を含むことができる：すなわち，
−  前記固定部が固定されている前記壁の不可逆締結領域に隣接する１つ以上の可逆的締結領域のいずれかに，
−  又は折り畳まれた部分の壁の可逆領域の１つ又は複数に固定されるよう配置される。
【００５４】
締結システムタブの可動部の１つ以上の可逆的締結領域は，
−  固定部が締結システムタブに固定されている壁の不可逆締結領域に隣接する１つ以上の可逆締結領域，又は
−  折り畳まれた部分の壁の１つ又は複数の締結領域又は可逆領域に相補的であってもよい。
【００５５】
締結システムがその開放状態にあるとき，締結システムタブの可動部の１つ又は複数の可逆締結領域は，タブの固定部が固定されている壁の不可逆固定領域（複数可）に可逆的な方法で，隣接する可逆固定領域に固定されてもよい。
【００５６】
締結システムがその開放状態にあるとき，締結システムタブの可動部の可逆締結領域は，折畳み部分の壁の可逆締結領域に固定しなくともよい。
【００５７】
締結システムがその閉鎖状態にあるとき，締結システムタブの可動部の可逆締結領域は，折畳み部分の壁の可逆領域に可逆的に固定されてもよい。
【００５８】
締結システムタブの固定部は，壁の１つ以上の締結領域に固定された１つ以上の不可逆締結領域を含むことができる。
【００５９】
締結システムタブは，主にバッグの開口部をバッグの底部に接続する方向に延ばすことができる。
【００６０】
締結システムタブの可動部と固定部との間の分離境界は湾曲していてもよい。
【００６１】
締結システムタブの可動部と固定部との間の分離境界は，締結システムタブの可動部の側部に主に延びる凸部を含むことができ，前記凸部は，締結システムタブの固定部から締結システムタブの可動部までの凸状のパターンによって形成されてもよい。
【００６２】
締結システムタブの可逆固定領域は，接着剤タイプのものであってもよい。
【００６３】
締結システムの可逆的締結領域が接着性のものである場合，
−  折り畳まれた部分の壁からの可逆的な締結領域は，折り畳まれた部分の壁のどの部分に配置されてもよく；及び
−  締結システムタブの固定部が固定される壁の不可逆的締結領域に連続する可逆的締結領域は，壁に沿った任意の位置にあってもよく，壁に沿って，締結システムタブは固定されてもよい。
【００６４】
締結システムタブの可動部の可逆固定領域が，タブの固定部が固定された壁の不可逆固定領域に隣接する可逆固定領域に相補的であるとき；
閉鎖システムは，例えば，ジップクロージャー又はベルクロタイプのものとして一般に知られている係止可能なラッククロージャーであってもよい。
【００６５】
厳密に同じ方法で：
−  締結システムタブの固定部は，折り曲げ部分の壁の不可逆締結領域の１つ以上の領域に固定することができ，
−  締結システムの可動部は，
・締結システムが開放状態にあるとき，
・締結システムタブの固定部が固定されている前記折り畳まれた部分の前記壁の不可逆的締結領域に隣接する１つ以上の可逆的締結領域に可逆的に固定することができる  ，又は
・締結システムタブの固定部に向かって折り畳むことができ，
・締結システムが閉鎖状態にあるとき，フィルタバッグ壁の１つ又は複数の可逆的締結領域に可逆的に固定されてもよい。
【００６６】
本発明によれば，オリフィスは，
−  バッグが受容するように構成された最大液体レベルと，
−  締結システムタブの不可逆締結領域，又はバッグの底部に最も近い位置にある締結システムタブの不可逆締結領域の１つとの間に位置する。
【００６７】
本発明によれば，締結システムタブの可逆的締結領域は，
−  バッグ内のオリフィスと，
−  バッグの開口部との間に位置してもよい。
【００６８】
本発明によれば，
−  オリフィスは，
・バッグが受容できる最大液体レベルと，
・締結システムタブの不可逆固定領域，又は，バッグの底部に最も近くに位置する締結システムタブの不可逆固定領域の１つとの間に位置し，
−  締結システムタブの可逆的締結領域は，
・バッグ内のオリフィスと，
・バッグの開口部との間に位置してもよい。
【００６９】
オリフィスは，好ましくは，バッグの底部と同じ側に位置するバッグの半分に配置されるべきである。
【００７０】
本発明の他の利点及び特徴は，以下の添付図面を含むがこれに限定されない，それらの開発及び実施の詳細な説明に示される。
【図面の簡単な説明】
【００７１】
【図１】本発明によるフィルタバッグの正面の概略図。
【図２】本発明によるバッグの正面の概略図であり，開口部の側に位置する上部がオリフィスによって壁に対して折り畳まれている。
【図３】本発明による閉鎖システムの側面からの概略図。
【図４】本発明による締結システムの側面からの概略図。
【００７２】
以下に説明する実施方法は決して限定的ではない。例えば，説明された特性の選択のみを含む本発明の変形例は，（この選択が他の特性を含む文の中で分離されていても）記載された他の特性から分離されていると考えることができる。この特性の選択が，技術的利点を与えるために，又は本発明を従来技術と区別するのに十分である場合，この選択は，少なくとも１つの特性，好ましくは構造的詳細を含まない機能，又はこの部分のみが技術的優位性を付与するのに十分である場合又は本発明を従来技術と区別するのに十分な場合には構造的詳細の一部のみを含む。
【００７３】
図１は，フィルタバッグ（１）を示す。このバッグは，フィルタバッグ（１）の開口部（５）と底部（６）との間で上から下に伸び，かつ，内部側縁部（７）の間を横方向に延びる２つの壁（３，４）を有するポリエチレン製である。
【００７４】
提示された設計方法に依存して，内部側縁部（７）は主に互いに平行である。
【００７５】
フィルタバッグ（１）は，２枚のポリエチレンシートを熱成形することによって，第１の内側横方向縁部（７）に沿って延びる開口部（５）から２つの側方端部（９，１０）を接続する折り目部（８），フィルタバッグ（６）の底部，最後に第２の内部側縁部（７）に沿って延びている。
【００７６】
フィルタバッグは，約２８０ミクロンのカットオフ閾値を有するポリプロピレンのフィルタ膜（２）を含む。フィルタ膜（２）は，試料受容区画（１１）と濾液収集区画（１２）とを分離する。濾液収集区画（１２）は，試料受容区画（１１）よりも低い容積を有する。
【００７７】
提示された実施方法によれば，フィルタ膜（２）は主として内部側縁部（７）に平行な方向に延びている。
【００７８】
フィルタバッグ（１）は，壁（４）を貫通するオリフィス（１３）を有する。このオリフィス（１３）は直径が１．５cmの円形であり，今日市販されているサンプリングピペットの交換チップの大部分を濾液収集区画（１２）に挿入することができる。
【００７９】
底部（６）に最も近接して位置するオリフィス（１３）を画定するくぼんだ円は，底部（６）から８．５cmに位置する。さらに，フィルタバッグ（１）に含まれる任意の量の液体について，最小容量５0mLと最大容量４００mLとの間で，交換可能なチップの大部分を介して，オリフィス（１３）を通って一定量の濾液をピペットすることが可能である。
【００８０】
バッグは閉鎖システム（１４）を有する。  閉鎖システム（１４）は，可動タブ（１５）と，壁（４）に固定された固定部（１６）とを有する。
【００８１】
閉鎖システム（１４）は閉鎖されたバッグの構成で示され，可動タブ（１５）はオリフィス（１３）の周囲に沿って位置する壁（４）のいくつかの領域に接着する。閉鎖状態では，可動タブ（１５）は，オリフィス（１３）のための気密シールを提供する。図３は，閉鎖システム（１４）の開放形態を示す。この構成では，可動タブ（１５）は，底部（６）に向かって折り畳まれる。開放状態では，オリフィス（１３）は障害が無く，オリフィス（１３）を介したフィルターバッグ（１）の内部へのアクセスは妨げられない。
【００８２】
フィルタバッグ（１）はまた，締結システム（１７）を有する。締結システム（１７）は，可動タブ（１８）と，壁（４）に固定された固定部（１９）とを有する。締結システム（１７）は，可動タブ（１８）が壁（４）に接着する開放構成を備えている。可動タブ（１８）が壁（４）に付着すると，締結システム（１７）は開放位置にあり，開口部は障害が無く，換言すれば開口部（５）を通ってフィルタバッグ（１）の内部へのアクセスが可能である。
【００８３】
図１において，締結システム（１７）の可動タブ（１８）は壁（４）に接着する。開口部（５）が開放されており，開口部（５）を通るフィルタバッグ（１）の内部へのアクセスが妨げられない。開口部（５）に障害が無いとき，オペレータは開口部（５）を介してしばしば予め定められた量の液体をフィルタバッグ（１）に導入することができる。開口部（５）に障害が無いときに，オペレータは，開口部（５）を介して，試料受容区画（１１）に分析されるべき試料を導入することができる。
【００８４】
閉鎖システム（１４）及び締結システム（１７）は，ポリエステルのストリップから作られる。
【００８５】
分離境界（２０，２２）は，可動タブ（１５）を閉鎖システム（１４）の固定部（１６）から分離する。分離境界（２１，２３）は，可動タブ（１８）と固定部（１９）とを締結システム（１７）から分離する。
【００８６】
閉鎖システム（１４）の分離境界（２０，２２）は，締結システム（１７）の分離境界（２１，２３）と同一である。
【００８７】
分離境界は，一方ではくぼみ部（２２，２３）によって形成され，他方ではセグメント（２０，２１）によって形成される。
【００８８】
くぼみ部（２２，２３）は，可動タブ（１５，１８）の固定部（１６，１９）のパターン（図２の２４，２５参照）を形成する。くぼみ部（２２，２３）は，可動タブ（１５，１８）をフィルタバッグ（１）の底部（６）に向かって折り畳むとき，可動タブ（１５，１８）と固定部（１６，１９）との間を分離させる効果を有する。
【００８９】
可動タブ（１５，１８）と固定部（１６，１９）との間の分離は，（ａ）くぼみ部の端部を（ａ）フィルタバッグ（１）の底部側のくぼみ部（２２，２３）の端部と，（ｂ）側方内縁部（７）及び側方内縁部（７）の側に位置するくぼみ部（２２，２３）の端部との間で成される。
【００９０】
図２は，開口部の側に位置する上部が「ネック部」（２６）と呼ばれ，オリフィス（１３）を収容する壁部（４）に対して折り畳まれているときのフィルタバッグ（１）を示している。可動タブ（１８）が「ネック部」（２６）の壁（３）の領域（２７）に固定されている締結システム（１７）によって，「ネック部」（２６）が壁（４）に対して保持されている。
【００９１】
図２において，締結システム（１７）の可動タブ（１８）が「ネック部」（２６）の壁（３）に接着するとき，締結システム（１７）は閉鎖状態にある。この構成では，開口部（５）が遮断され，換言すれば，開口部（５）によるフィルタバッグ（１）の内部へのアクセスが不可能になる。
【００９２】
開口部（５）が遮断されたとき，フィルタバッグ（１）は，フィルタバッグ（１）中に存在する液体中への試料の物体の可溶化及び／又は断片の懸濁を促進するために，フィルタバッグ（１）を攪拌するように構成された実験用ブレンダーに配置されるのに適した構成である。
【００９３】
締結システム（１７）を介して「ネック部」（２６）が壁（４）に対して保持されると，「ネック部」（２６）の壁部（３）の領域（２７）に固定された可動タブ（１８）は，実験用ブレンダーで攪拌される間，フィルタバッグ（１）に含まれる液体の脱漏を防ぐ。
【００９４】
固定部（１６，１９）は，フィルタバッグ（１）の壁（４）に接着剤で不可逆的に固定されている。可動タブ（１５，１８）は，フィルタバッグ（１）の壁（４）に可逆的に固定されるか，又は適用可能な場合には，可動タブ（１８）が「ネック部」（２６）の壁（３）の領域に接着剤で固定される。
【００９５】
図２はまた，可動タブ（１５，１８）の固定部（１６，１９）のくぼみ部（２４，２５）のパターンを示す。これらのくぼみ部（２４，２５）は，可動タブ（１５，１８）をフィルタバッグ（１）の底部（６）に向かって折り畳むとき，固定部（１６，１９）が壁（４）から剥がれるのを防止する。実際，くぼみ部（２２，２３）に加えて，閉鎖システム（１４）及び締結システム（１７）を形成するポリエステルストリップで作られた固定部（１６，１９）及び可動タブ（１５，１８）は，セグメント（２０，２１）によってのみ接続される。セグメント（２０，２１）は，分離境界（２０，２１，２２，２３）に比べて弱い。したがって，可動タブ（１５，１８）の折り畳み中に，可動タブ（１５，１８）のセグメント（２０，２１）に加えられる接線せん断力が支配的であり，可動タブ（１５，１８）を分離境界（２０，２１，２２，２３）を超えて通過させる。
【００９６】
図３は，可動タブ（１５）がオリフィス（１３）の周辺に位置する壁（４）の領域に接着する，折り畳まれていない構成の閉鎖システム（１４）を示す。この場合，閉鎖システム（１４）は閉じた構成であり，可動タブ（１５）はオリフィス（１３）の気密シールを提供する。
【００９７】
可動タブ（１５）が壁（４）に接着していない折り畳み構成が示されている。この場合，閉鎖システム（１４）は，可動タブ（１５）が底部（６）（図１及び図２に示す）に向かって折り畳まれた開いた構成を有する。開いた構成では，オリフィス（１３）は障害が無く，オリフィス（１３）を通ってフィルタバッグ（１）の内部へのアクセスは妨げられない。この構成では，可動タブ（１５）は折り畳み位置に留まる。
【００９８】
折り畳み構成から折り畳まれていない構成への移行は，２本の指の使用を必要とするだけであるため，オペレータが容易に行うことができる。
【００９９】
ある構成から別の構成への切り替えは，数回，好ましくは少なくとも５回行うことができる。
【０１００】
図４は，可動タブ（１８）が壁（４）に接着する，折り畳まれていない構成の締結システム（１７）を示す。この場合，締結システム（１７）は開いた構成であり，開口部（５）は障害が無く（図１参照），開口部（５）を通るフィルタバッグ（１）の内部へのアクセスは妨げられない。
【０１０１】
また，締結システム（１７）の可動タブ（１８）が底部（６）（図４に示す）に向かって折り畳まれ，開口部（５）は障害が無く（図１参照），開口部（５）を通るフィルタバッグ（１）の内部へのアクセスは妨げられない。
【０１０２】
締結システム（１７）が閉じているときの可動タブ（１８）が「ネック部」（２６）の壁（３）の領域（２７）に接着する構成をさらに示す。
【０１０３】
第１の実施方法と相補的な方法では，フィルタバッグの壁（４）は最大レベル（２９）の目盛り（２８）を有する。液体がフィルタバッグ（１）に導入され，その量が最大レベル（２９）を超えると，閉鎖システム（１４）が開放位置にあるときのフィルタバッグ（１）の取り扱いにより，フィルタバッグ（１）の外部への脱濡を誘発する。
【０１０４】
第１の実施方法と相補的な方法では，可動タブ（１５，１８）をフィルタバッグ（１）の壁（４）に，又は適用可能な場合には可動タブ（１８）を「ネック部」（２６）の壁（３）に接着するための接着剤は，固定部（１６，１９）をフィルタバッグ（１）の壁（４）に接着するために使用される接着剤と同一である。可動タブ（１５，１８）を折り畳むとき，弱いセグメント（２０，２１）は２つの機能：
−  可動タブ（１５，１８）が固定部（１６，１９）に向かって伸びることを可能にする；
−  固定部（１６，１９）の脱落を防止する
を有する。
【０１０５】
もちろん，本発明は，上記の例に限定されず，本発明の範囲内でこれらの例に多くの改良を加えることができる。
【０１０６】
さらに，本発明の異なる特徴，形状，変形及び実施方法は，互いに互換性がないか，又は互いに排他的でない限り，様々な組合せで互いに関連付けられ得る。
【図１】
2019023624.tif 000003
【図２】
2019023624.tif 000004
【図３】
2019023624.tif 000005
【図４】
2019023624.tif 000006
【外国語明細書】
2019023624000001.pdf
2019023624000002.pdf
2019023624000003.pdf
2019023624000004.pdf